(57)【要約】【課題】構造が簡単で、しかも、正確なタンジェンシャルチルトが得られるようにする。【解決手段】第１、第２ガイドレール９ａ，９ｂにガイドされてディスク半径方向に前進・後退可能な支持フレーム１３に光ピックアップ１９を設ける。前記支持フレーム１３の一端を第１ガイドレール９ａに対してディスク半径方向となる方向軸心線Ｘを中心として回動可能で、かつ、スライド自在に支持する一方、支持フレーム１３の他端にタンジェンシャルチルト調整用の第１、第２回動支持部２３，２５が設けられたサブフレーム２７を備えるようにし、前記第１回動支持部２３を、第２ガイドレール９ｂの軸心方向Ｘと直交する遊びβを有して長手方向に沿ってスライド可能な支持構造とする。また、前記第２回動支持部２５を、前記支持フレーム１３がタンジェンシャルチルト設定値に位置決めされた位置決め完了後に固定手段によって固定する固定支持構造とする。【選択図】図１
2008010115.tif 000002
【特許請求の範囲】
【請求項１】
左右一対の第１、第２ガイドレールと、前記第１、第２ガイドレールにガイドされてディスク半径方向に前進・後退可能な支持フレームと、前記支持フレームに設けられた光ピックアップとを有し、前記支持フレームは、一端が第１ガイドレールの軸心線を中心として回動可能で、かつ、スライド自在に支持され、支持フレームの他端はタンジェンシャルチルト調整用の第１、第２回動支持部が設けられたサブフレームを備えると共に、前記第１回動支持部を、第２ガイドレールの軸心方向と直交する遊びを有して第２ガイドレールの延長方向に沿ってスライド可能であり、かつ、第２ガイドレールの軸心線を中心に回動可能とする一方、前記第２回動支持部を、前記支持フレームがタンジェンシャルチルト設定値に位置決めされた位置決め完了後に前記支持フレームと固定手段によって固定する固定支持構造とすることを特徴とする光ディスク駆動装置。
【請求項２】
左右一対の第１、第２ガイドレールの内、一方の第１ガイドレールに対して光ピックアップが設けられた支持フレームの一端をディスクに対して前進・後退可能に取付ける工程と、
支持フレームの他端を第２ガイドレールの軸心方向と直交する遊びを有して長手方向に沿ってスライド可能に支持されたタンジェンシャルチルト調整用のサブフレームに対して摺動して互いに回動自在に結合支持する工程と、
前記支持フレームを上下動可能な調整治具で下から支持する支持工程と、
前記調整治具の上下動により前記支持フレームを第１ガイドレールまわりに回動させてタンジェンシャルチルト設定値に位置決めした後に、前記支持フレームとサブフレームの回動支持部とを固定手段により固定する固定工程とを有することを特徴とする光ディスク駆動装置の製造方法。
【請求項３】
前記調整治具は、光ディスク駆動装置とは独立して構成され移動，持ち運び可能であることを特徴とする請求項２記載の光ディスク駆動装置の製造方法。
【発明の詳細な説明】
【技術分野】
【０００１】
本発明は光ピックアップのタンジェンシャルチルト機能を備えた光ディスク駆動装置とその製造方法に関する。
【背景技術】
【０００２】
一般に光情報の記録再生は、記録再生媒体に対して光ピックアップで発生された光を媒体の記録再生面で集光させ、その光ピックアップで信号を記録したり、読み取りを行なうことで情報の記録再生を行なう。
【０００３】
情報の記録再生時、光ピックアップの光軸と光ディスク面の角度が重要な要素となり、光軸と光ディスク面との間に角度誤差が発生すると光ピックアップの再生波形に歪みを与え、ジッタを悪化させる重要な問題を招く。
【０００４】
特に、近年は光ディスクの記憶容量は大幅に増加し高密度化している。光ディスクの高密度化は光ピックアップの光軸と光ディスク面との角度誤差の許容範囲を小さくし、ジッタの問題が起きやすくなっているのが現状である。
【０００５】
このために、組立完了後、ジッタの改善を図るチルト角、即ち、光ディスクのラジアル方向（半径方向）とタンジェンシャル方向（半径方向に垂直な方向）の傾きを調整する調整手段が多数提案されている。
【０００６】
チルト調整手段の概要は、例えば、第１に光ピックアップを光ディスクの半径方向にガイドする左右一対のガイドレールの一方を上下動させる調整手段によって行なう場合と、第２に光ディスクを装着セットするディスクモータを直接上下動させる調整手段によって行なう場合がある。
【特許文献１】特開２００１−５２３４６号公報
【特許文献２】特開２００４−７１１１１号公報
【発明の開示】
【発明が解決しようとする課題】
【０００７】
光ディスクのチルト調整にあたって前記した如くラジアル方向とタンジェンシャル方向があるが、特に、重要な調整要素となるタンジェンシャルチルト調整を行なう場合に、ガイドレールの一方を上下動させる第１の手段にあっては、光ディスクの半径方向に長い前記ガイドレールの一端から他端にわたってガイドレール全体を傾きなく正確に上下動させる必要があるため、高い加工精度及び組立精度が要求される。
【０００８】
一方、ディスクモータを直接上下動させる第２の手段にあっては、ディスクモータを上下動させる特殊な支持構造を必要とすると共に、特に、タンジェンシャルチルト調整を２箇所で行なう必要があり、調整作業の面で望ましくない。
【０００９】
そこで、本発明にあっては、構造が簡単で、しかも正確なタンジェンシャルチルトが得られる光ディスク駆動装置及びその製造方法を提供することを目的とする。
【課題を解決するための手段】
【００１０】
前記目的を達成するために、本発明の第１にあっては、左右一対の第１、第２ガイドレールと、前記第１、第２ガイドレールにガイドされてディスク半径方向に前進・後退可能な支持フレームと、前記支持フレームに設けられた光ピックアップとを有し、前記支持フレームは、一端が第１ガイドレールの軸心線を中心として回動可能で、かつ、スライド自在に支持され、支持フレームの他端はタンジェンシャルチルト調整用の第１、第２回動支持部が設けられたサブフレームを備えると共に、前記第１回動支持部を、第２ガイドレールの軸心方向と直交する遊びを有して第２ガイドレールの延長方向に沿ってスライド可能であり、かつ、第２ガイドレールの軸心線を中心に回動可能とする一方、前記第２回動支持部を、前記支持フレームがタンジェンシャルチルト設定値に位置決めされた位置決め完了後に前記支持フレームと固定手段によって固定する固定支持構造とする。
【００１１】
第２にあっては、左右一対の第１、第２ガイドレールの内、一方の第１ガイドレールに対して光ピックアップが設けられた支持フレームの一端をディスクに対して前進・後退可能に取付ける工程と、
支持フレームの他端を第２ガイドレールの軸心方向と直交する遊びを有して長手方向に沿ってスライド可能に支持されたタンジェンシャルチルト調整用のサブフレームに対して摺動して互いに回動自在に結合支持する工程と、
前記支持フレームを上下動可能な調整治具で下から支持する支持工程と、
前記調整治具の上下動により前記支持フレームを第１ガイドレールまわりに回動させてタンジェンシャルチルト設定値に位置決めした後に、前記支持フレームとサブフレームの回動支持部とを固定手段により固定する固定工程とを有することを特徴とする。
【００１２】
そして、好ましい実施形態として、前記調整治具を、光ディスク駆動装置とは独立して構成し、移動、持ち運びを可能とする。
【発明の効果】
【００１３】
本発明の第１によれば、タンジェンシャルチルト調整時にガイドの基本となる左右の第１、第２ガイドレールを動かすことがないため、光ピックアップを光ディスクの半径方向に対して正確にガイドすることができる。
【００１４】
また、タンジェンシャルチルト調整が行なわれた調整完了後の光ピックアップを備えた支持フレームは、一端が第１ガイドレールに、他端がサブフレームを介して第２ガイドレールにそれぞれ支持された構造となるため、調整機構が省略された簡単な支持構造にできる。
【００１５】
また、第２回動支持部は、タンジェンシャルチルト調整後、固定手段によって固定支持できるため、確実で安定した固定支持構造が長期間にわたって得られる。
【００１６】
また、本発明の第２によれば、タンジェンシャルチルト調整作業は支持フレームとサブフレームの固定支持部の一点を上下動させる調整で済むため、２点調整に比べて調整作業が簡単で、しかも、正確に行なうことができる。
【００１７】
また、調整治具は、調整完了後、移動、持ち運びが可能となるため、調整治具専用の設置スペースが不用になるため、設計自由度の面で大変好ましいものとなる。
【発明を実施するための最良の形態】
【００１８】
以下、図１から図５の図面に基づき具体的に説明する。
【００１９】
図１は光ディスク駆動装置の概要平面図を示している。光ディスク駆動装置１のベース部３には、ターンテーブル５を駆動するモータ７と前記左右一対の第１、第２ガイドレール９ａ，９ｂと、駆動手段１１により前記第１、第２ガイドレール９ａ，９ｂに沿ってスライド自在に両端支持された支持フレーム１３とを有している。
【００２０】
ターンテーブル５は、光ディスク１５が装着セットされモータ７により所定の回転数の回転動力が与えられる。
【００２１】
第１、第２ガイドレール９ａ，９ｂは、軸受１７により図１において上下両端が支持され、光ディスク１５の半径（図１矢印イ）方向に沿って前記支持フレーム１３をガイドする配置構造となっている。
【００２２】
支持フレーム１３は、中央部位に光ピックアップ１９が設けられると共に、その一端には図２に示すように嵌合孔２１ａを有する立上り壁２１を有している。立上り壁２１の嵌合孔２１ａは前記第１ガイドレール９ａに対してディスク半径方向（図１矢印イ）となる方向軸心線Ｘを中心として回動（矢印ロ）可能で、かつ、長手方向に沿ってスライド自在に嵌合している。支持フレーム１３の他端にはタンジェンシャルチルト調整用の第１、第２回動支持部２３，２５が設けられたサブフレーム２７が設けられている。
【００２３】
サブフレーム２７の一方の第１回動支持部２３は、断面外向きコ字状に形成されている。コ字状に形成された左右方向（図２矢印ハ）が前記第２ガイドレール９ｂの方向軸心方向Ｘと直交する遊びβとなっていて、長手方向（図１上下方向）に対してスライド可能な支持構造となっている。サブフレーム２７の他方の第２回動支持部２５は、断面下向き円弧状の凸部２５ａとなっていて、前記支持フレーム１３の他端に設けられたＶ字状の凹部２９と係合している。凸部２５ａと凹部２９の関係は、図１に示すようにディスク半径方向となる矢印イと同一のＹ軸線を中心として相対的に回動（矢印ホ）可能となっている。また、図２に示すように調整治具３１によって前記支持フレーム１３がタンジェンシャルチルト設定値に位置決めされた位置決め完了後（図５）に、光硬化型接着剤などによる接着剤等の固定手段３３によって一体に固定された固定支持構造となっている。
【００２４】
調整治具３１は、図２のように所定の設置面３５に設置可能な固定台座部３７とロッド状の可動部３９とを有し、移動、持ち運びが可能となっている。
【００２５】
固定台座部３７には手動の操作部４１が設けられ、その操作部４１を右又は左回転させることで、図示していないが、例えば、ラックとピニオンの関係によって可動部３９の上下動（図２矢印ニ）が可能となっている。
【００２６】
一方、支持フレーム１３を光ディスク１５の半径方向に前進・後退させる駆動手段１１は、図１に示す如くベース部３に設けられた支持ブラケット４３によって回転自在に両端支持されたリードスクリュウ４５に前記支持フレーム１３から延長されたアーム部４７のリードナット部４９が螺合している。リードスクリュウ４５は、前記支持ブラケット４３に支持された駆動モータ５１によって正転又は逆転の回転動力が与えられるようになっている。
【００２７】
したがって、例えば、リードスクリュウ４５が正転することで前記支持フレーム１３が前進（図１矢印イ上向き）し、逆転することで後退（図１矢印イ下向き）することが可能となっている。
【００２８】
次に、光ディスク駆動装置の製造方法について説明すると、左右一対の第１、第２ガイドレール９ａ，９ｂの内、一方の第１ガイドレール９ａに対して光ピックアップ１９が設けられた支持フレーム３の一端となる立上り壁２１の嵌合孔２１ａを図１矢印イ方向となるディスク半径方向に前進・後退可能に嵌挿支持する。次に、自由端となっている支持フレーム１３の他端を調整治具３１での可動部３９下から仮支持した後、第２ガイドレール９ｂに対してサブフレーム２７の一方の第１回動支持部２３を前記第２ガイドレール９ｂの軸心方向Ｘと直交する遊びβを有して長手方向に沿ってスライド可能に支持する。次に、サブフレーム２７の他方となる第２回動支持部２５の凸部２５ａを可動部３９で仮支持された支持フレーム１３のＶ字状の凹部２９内へ係合させる。次に、調整治具３１の可動部３９を上下動させることで支持フレーム１３のタンジェンシャルチルト調整を行なう（図３、図４）。この時のタンジェンシャルチルトの調整作業は１箇所の調整作業で済むため、２箇所に比べて調整作業が容易になると共にＶ字状の凹部２９と凸部２５ａとの関係によって正確な結合精度が迅速に得られる。
【００２９】
タンジェンシャルチルトの設定値が検出器（図示していない）により正確に位置決めされると、前記支持フレーム１３の凹部２９とサブフレーム２７の凸部２５ａとを光硬化型接着剤などによる接着等の固定手段３３により固定支持する。これにより、長期間にわたり安定した固定支持構造が得られると共に高い組立精度を確保できる。
【図面の簡単な説明】
【００３０】
【図１】本発明にかかる光ディスク駆動装置の概要平面図。
【図２】支持フレームとサブフレームの回動支持部の下に調整治具をセットした状態の概要切断説明図。
【図３】タンジェンシャルチルト調整が上昇しすぎた状態の動作説明図。
【図４】タンジェンシャルチルト調整が下降しすぎた状態の動作説明図。
【図５】タンジェンシャルチルト調整が設定値に位置決めされた状態の動作説明図。
【符号の説明】
【００３１】
３    ベース部
５    ターンテーブル
７    モータ
９ａ    第１ガイドレール
９ｂ    第２ガイドレール
１１    駆動手段
１３    支持フレーム
１５    光ディスク
１９    光ピックアップ
２３    第１回動支持部
２５    第２回動支持部
３１    調整治具
３３    固定手段
β    遊び
Ｘ    方向軸心線
【図１】
2008010115.tif 000003
【図２】
2008010115.tif 000004
【図３】
2008010115.tif 000005
【図４】
2008010115.tif 000006
【図５】
2008010115.tif 000007